(57)【要約】      （修正有）【課題】高粘度内容物の注出に適するとともに、内容液の詰替の時に、詰替え用パウチのノズルを円滑に案内して位置決めし内容液をうまく注出筒案内に入れることができるスリットを持つ注出筒を備えたトランジッションキャップを提供する。【解決手段】円筒状外壁２の内側に配設された注出筒３を有し、注出筒先端の注出端１７と対向する注出筒の側壁が切り離されたスリット２２を有する樋状をなし、注出端と円筒状外壁の中心側を含む平面内における注出端と円筒状外壁の上端を結ぶ直線距離をＡ、注出端と変化点２３を平面に垂直に投影した点とを結ぶ直線距離をＢ、スリット側の基端部から円筒状の外壁の上端までの中心軸方向の距離をＣ、スリット側の基端部から変化点までの中心軸方向の距離をＤとするとき、Ｂ≧０．９Ａ及びＤ＜０．８Ｃの少なくとも一方を満たす。【選択図】図１
2008260550.tif 000002
【特許請求の範囲】
【請求項１】
容器の口部に装着されて使用される内容液の注出と補充充填に使用されるトランジッションキャップであって、
上端開口の円筒状外壁と、
前記円筒状外壁の内側に配設された注出筒と、
前記円筒状外壁と前記注出筒との間の環状空間の底部を閉じる底壁とを有し、
前記注出筒は基端部が前記底壁に固定され前記注出筒先端の注出端と対向する前記注出筒の側壁が切り離されたスリットを有する樋状をなし、
前記底壁には液回収孔が前記スリットに連接して形成されており、
前記スリットは前記注出端寄りの幅広スリットと前記基端部寄りの前記幅広スリットよりも開口幅の小さい幅狭スリットとが変化点で接続して形成されており、
前記注出端と前記円筒状外壁の中心軸を含む平面内における前記注出端と前記中心軸を挟んで対向する前記円筒状外壁の上端を結ぶ直線距離をＡ、
前記注出端と前記変化点を前記平面に垂直に投影した点とを結ぶ直線距離をＢ、
前記スリット側の前記基端部から前記円筒状の外壁の上端までの前記中心軸方向の距離をＣ、
前記スリット側の前記基端部から前記変化点までの前記中心軸方向の距離をＤとするとき、
Ｂ≧０．９Ａ
及び
Ｄ＜０．８Ｃ
の少なくとも一方を満たすことを特徴とするトランジッションキャップ
【請求項２】
前記幅広スリットが案内域を介して前記変化点に接続することを特徴とする請求項１記載のトランジッションキャップ
【請求項３】
前記距離Ａを表す直線と前記距離Ｂを表す直線のなす角度が１０°≦θ≦８０°であることを特徴とする請求項１記載のトランジッションキャップ。
【請求項４】
前記スリット間を直線で結んだ前記基端部内周の平面投影面積が前記円筒状外壁上端の内周面積の１０〜５０％であることを特徴とする請求項１記載のトランジッションキャップ
【請求項５】
前記注出筒先端の平坦部の前後長さが前記スリット間を直線で結んだ前記基端部の平面形状における前後長さの３０パーセント以内であることを特徴とする請求項１記載のトランジッションキャップ
【請求項６】
前記スリットが注出筒最大幅部を横切る高さが、スリット全高の２０〜８０％の高さ位置であることを特徴とする請求項１記載のトランジッションキャップ
【請求項７】
前記幅広スリットの全体が注出筒の最も後方の最大幅部より前方寄りに設けられることを特徴とする請求項２記載のトランジッションキャップ
【発明の詳細な説明】
【発明の詳細な説明】
【０００１】
【技術分野】
【０００２】
この発明は液体洗剤等の内容液を充填した容器の口部に装着されて内容液の注出と補充充填に使用されるトランジッションキャップに関するものである。
【０００３】
【特許文献１】特許第３０１５３４２号公報
【特許文献２】特開２００２-１９８１０号公報トランジッションキャップは、上端が開口している円筒状の円筒状外壁を有し、円筒状外壁の内側で、円筒状の外壁の中心線方向に注出筒が立設されていて、円筒状外壁と注出筒との間の環状空間の底部は底壁によって閉じられている。注出筒は基端部で容器の内部と連通しており、容器を傾けると注出筒を通して内容液が注出される。
【０００４】
注出筒の胴部には注出時の内容液の流出を円滑にする目的で、及び後述する詰め替え用パウチのノズルの詰め替え時の位置決めを容易にするためにスリットが形成されている。内容液の注出時及び詰替え時に、内容液が注出筒の周囲の環状空間にこぼれたときには、底壁に回収用の孔が貫通されていて、こぼれた内容液はこの回収用の孔を通して容器内に回収される。この回収用の孔は注出筒のスリットの基端部にも連通している。
この内容液の注出及び詰め替え用パウチのノズルの位置決めにとって、スリットの機能は重要であり、したがってまた、その形状は重要である。
【０００５】
特許文献１に示されているトランジッションキャップにおいては注出筒の筒体壁を切り開いてスリットを形成しており、このスリットは先端寄りの上部スリットが開口幅の大きい幅広スリットとして形成されており、基端寄りの下部スリットが開口幅が小さい幅狭スリットとして形成されている。
【０００６】
この特許文献１に示された注出筒ないしスリットの形状では、上部スリットは幅広なので詰め替え用パウチのノズルの先端を挿入しやすく、また下部スリットが幅狭なので、内容物を注ぐ際にこぼれにくくすることができる。
しかし、この特許文献１の注出筒のスリットでは幅広スリットと幅狭スリットとの境界の案内部の高さ位置が円筒状外壁の上端縁の高さとほぼ同じとなっている。
その結果、内容液の詰替の時に、詰替え用パウチのノズルからの内容液がうまく注出筒に入らずに注出筒からあふれた場合には、そのあふれた内容液が、円筒状外壁の上端縁を越えて外にこぼれ落ちる事故が起ることがある。
【０００７】
特許文献２に示されているトランジッションキャップにおいては、スリットの幅広部と幅狭部が緩やかな斜面または曲面の案内部で接続されていて、詰替え時にパウチのノズル部をスリットに挿入した時に、ノズル部がひっかかることなく、スムーズに挿入できる。
しかしこの特許文献２に示されたトランジッションキャップでも幅広部と幅狭部との境界の高さ位置が、円筒状外壁の高さと略同じか、或いはそれよりも低い、とされていて基本的に円筒状外壁と境界との高さ方向の位置の差がそれほど大きくないので、内容液の詰替えの時に、パウチからの詰替え用内容液が円筒状外壁の上端縁を越えて外にこぼれる恐れがあるという問題点は未解決のまま残っている。
また特許文献２で示された注出筒は径が細く、より高粘度の内容物に適用しようとすると、注出や詰替え作業の時間が長くなるという問題がある。
なお、トランジッションキャップは特許文献１では「注出具」、特許文献２では「注出部材」に相当する
【発明の開示】
【発明が解決しようとする課題】
【０００８】
このようなことから、高粘度内容物の注出に適するとともに、内容液の詰替の時に、詰替え用パウチのノズルを円滑に案内して位置決めし内容液をうまく注出筒案内に入れることができるスリットを持つ注出筒を備えたトランジッションキャップを提供することを目的とするものである。
【課題を解決するための手段】
【０００９】
この目的に対応して、この発明のトランジッションキャップは容器の口部に装着されて使用される内容液の注出と補充充填に使用されるトランジッションキャップであって、
上端開口の円筒状外壁と、
前記円筒状外壁の内側に配設された注出筒と、
前記円筒状外壁と前記注出筒との間の環状空間の底部を閉じる底壁とを有し、
前記注出筒は基端部が前記底壁に固定され前記注出筒先端の注出端と対向する前記注出筒の側壁が切り離されたスリットを有する樋状をなし、
前記底壁には液回収孔が前記スリットに連接して形成されており、
前記スリットは前記注出端寄りの幅広スリットと前記基端部寄りの前記幅広スリットよりも開口幅の小さい幅狭スリットとが変化点で接続して形成されており、
前記注出端と前記円筒状外壁の中心軸を含む平面内における前記注出端と前記中心軸を挟んで対向する前記円筒状外壁の上端を結ぶ直線距離をＡ、
前記注出端と前記変化点を前記平面に垂直に投影した点とを結ぶ直線距離をＢ、
前記スリット側の前記基端部から前記円筒状の外壁の上端までの前記中心軸方向の距離をＣ，
前記スリット側の前記基端部から前記変化点までの前記中心軸方向の距離をＤとするとき、
Ｂ≧０．９Ａ
及び
Ｄ＜０．８Ｃ
の少なくとも一方を満たすことを特徴としている。
【００１０】
またこの発明の他の実施形態のトランジッションキャップは前記幅広スリットが案内域を介して前記変化点に接続することを特徴としている。
またこの発明の他の実施形態のトランジッションキャップは前記距離Ａを表す直線と前記距離Ｂを表す直線のなす角度が１０°≦θ≦８０°であることを特徴としている。
またこの発明の他の実施形態のトランジッションキャップは前記スリット間を直線で結んだ前記基端部内周の平面投影面積が前記円筒状外壁上端の内周面積の１０〜５０％であることを特徴としている。
またこの発明の他の実施形態のトランジッションキャップは前記注出筒先端の平坦部の前後長さが前記スリット間を直線で結んだ前記基端部の平面形状における前後長さの３０パーセント以内であることを特徴としている。
またこの発明の他の実施形態のトランジッションキャップは前記スリットが注出筒最大幅部を横切る高さが、スリット全高の２０〜８０％の高さ位置であることを特徴としている。
またこの発明の他の実施形態のトランジッションキャップは前記幅広スリットの全体が注出筒の最も後方の最大幅部より前方寄りに設けられることを特徴としている。
【発明の効果】
【００１１】
この発明のトランジッションキャップでは、円筒状外壁と注出筒と両者の間の環状空間とを備えており、注出筒には先端の注出端から基端部までに注出端側が幅広で、基端側が幅狭のスリットを持つ樋状になっているで、そのスリットを詰替パウチのノズル部に対する案内として利用することにより、内容液の詰替え操作を行うことができる。スリットからこぼれた内容液は環状空間に流れ込んで底壁の液回収孔から容器内に収容される。
特に、この発明のトランジッションキャップでは、Ｂ≧０．９Ａであると、
詰替え容器のノズルを円筒状外壁の上線を支えとして、傾けて行ったときに、ノズルの先端がスリットの内に入ることになって、詰替え内容液を注出筒から充填することが容易である。
またＤ＜０．８Ｃであると、パウチを大きく傾けられるので、詰替時間を短縮できる。また、外壁が十分高いので、内容物が注出筒からあふれても、確実に回収されて外にこぼれることがない。
【発明を実施するための最良の形態】
【００１２】
以下この発明の詳細を一実施の形態を示す図面について説明する。
図１及び図１から要部のみを注出した説明図である図２において、１ａはトランジッションキャップである。
【００１３】
トランジッションキャップ１ａは円筒状の外壁２と注出筒３と底壁４とを有し、さらに取付脚５とを有している。
取付脚５はトランジッションキャップ１ａをボトル（図示せず）に取付けるための部分で、円筒状に外壁２の最外側に立ち下がっていて、内面にボトルの上端の外面に螺着するための内ねじ６を備えている。
【００１４】
外壁２は上部の堤筒部７と下部の液回収筒部８とからなっていて、全体としてトランジッションキャップ１ａの中心線９をもつ略円筒状をなしている。
堤筒部７はトランジッションキャップ１ａから外部に内容液があふれるのを防ぐ堰堤として機能する部分で外面に計量キャップ（図示せず）を螺着させるための外ねじ１１が形成されている。
【００１５】
注出筒３は内容液の注出と内容液の補充充填に使用するほぼ筒体で、上端部は堤筒部７の上端より上に延出しており、基端部は液回収部８の近傍に位置し、外壁２と注出筒３の間には環状空間１２が存在する。環状空間１２の底部が環状の底壁４で閉じられていて底壁４の内縁には注出筒３の基端部が液密に連結し、外縁には外壁２の基端部をなす液回収部８が液密に連結している。底壁４には液回収孔１３が貫通形成されており、この液回収孔１３を通して環状空間１２はボトル（図示せず）の内部と連通している。
注出筒３は前述の通りほぼ筒状体をなし、基端部の平面視形状の最大幅部の中点を通り、中心線９に平行な長手軸１４を有する。また、水平断面形状は前後軸１５及び横軸１６を有する。
この実施形態では、最大幅部は注出筒３の前後長さの中点よりやや後方にあり、中心線９と長手軸１４が一致している。
【００１６】
注出筒３は筒体の上方の先端が注出端１７を構成する。
注出筒３は注出端１７と対向する側壁が切り離されたスリット１９をもつ樋状の形状をなしている。スリット１９は全体の傾向として注出端１７寄りに行くほど開口度が大きくまた基端１８寄りに行くほどスリットの幅（以下スリット幅とする）が小さくなるが、スリット１９はスリット幅の大小に応じて、スリット幅が大きい幅広スリット２１とスリット幅が小さい幅狭スリット２２とからなっている。
【００１７】
幅広スリット２１は注出筒３の注出端１７寄りに形成され、幅狭スリット２２は基端１８寄りに形成されている。幅広スリット２１の上端は、注出筒３先端の注出口に連続している。また、スリット幅が最も小さいのは、注出筒３の基端１８の部分である。幅広スリット２１と幅狭スリット２２との境界が変化点２３である。幅広スリット２１が変化点２３に接続する部分は案内域３０で構成され、案内域３０は注出端１７寄りの曲面３１と変化点２３寄りのほぼ平坦面３２とから成っている。
【００１８】
注出端１７と中心線９を含む平面内における注出端１７と外壁２の上端を結ぶ直線距離をＡ、注出端１７と変化点２３を前記平面に垂直に投影した点とを結ぶ直線距離をＢ、スリット１９の基端１８から外壁２の上端までの長手軸１４方向の距離をＣ、スリット１９の基端部１８から変化点２３までの長手軸１４方向の距離をＤとすると
Ｂ≧０．９Ａ
及びまたは
Ｄ＜０．８Ｃ
であることが望ましい。
【００１９】
Ｂ≧０．９Ａであると幅広スリットを大きくできるので、詰替パウチのノズルを挿入しやすい。
また、ノズルの太い高粘度用の詰替えパウチも使用できる。Ｄ＜０．８Ｃであるとパウチを大きく傾けられるので、詰替時間を短縮できる。
また外壁が十分高いので、内容物が注出筒からあふれても確実に回収されて外にこぼれることはない。なおＤが小さすぎると、注出時に内容物が注出筒の外へあふれる處がある。
またＡとＢとのなす角θは１０°≦θ≦８０°である。角度が小さすぎると環状空間がせまくなり、内容物があふれやすくなる。また、角度が大きすぎると注出筒が細くなり、高粘度内容物の注出に適さない。
またスリット間を直線で結んだ基端部内周の平面投影面積が円筒状外壁２の上端の内周面積の１０〜５０％、特に１５〜３０％であることが望ましい。従来製品よりも太く、高粘度内容物に好適である。面積比が小さすぎると注出筒が細くなり、高粘度内容物の注出に適さない。また面積比が大きすぎると注出と詰替の性能バランスが悪くなる。
注出筒３の注出端１７の平坦部の前後軸１５方向の長さがスリット間を直線で結んだ基端部の平面形状における前後長さの３０％以内であると高粘度の内容物でも注出時の液切れがよい。
またスリット１９が注出筒３の最大幅部を横切る高さがスリット１９の最大高さ部位の高さの２０〜８０％の高さであることが望ましい。
こうすることで、詰替パウチのノズルを挿入する方向から見てスリットが開く方向になるので、挿入時にノズルが注出筒側壁に当たっても、スリット内へ誘導され、狙いやすく挿入しやすい。
またスリットの途中に最大幅部があることにより、挿入したノズルが安定する。
この実施形態のスリット９が最大幅部を横切る高さは、おおむね７０％である。一方、最大幅部を横切る高さが上記範囲より低すぎると注出時に内容物が注出筒の外へあふれるおそれがある。高すぎると詰替パウチのノズルを挿入しづらくなる。
図３はこの発明の第２の実施例に係るトランジッションキャップ１ｂが示されており、このトランジッションキャップ１ｂでは幅広スリット２１の輪郭が側面視で直線をなして幅狭スリット２２に接続している例である。
【００２０】
図４はこの発明の第３の実施例に係るトランジッションキャップ１ｃが示されており、このトランジッションキャップ１ｃでは幅広スリット２１の輪郭が側面視で直線をなすとともに、幅広スリット２１から連続する案内域３０も側面視が直線をなす直線２５で構成され、幅狭スリット２２との変化を比較的に大きくしたものである。この場合は幅広スリット２１と幅狭スリット２２とのスリットの開口幅の変化の割合が大きいので、幅狭スリット２１へのパウチの進入を覚知させることができる。
【００２１】
図５から図７は注出筒３を他の筒体で構成した実施例である。
図５は注出筒３を楕円形断面を持つ筒体で構成した実施例のトランジッションキャップ１ｄであり、幅広スリット２１の全体が最大幅部３５よりも前方にある点で第１の実施例に係るトランジッションキャップと異なっている。
注出筒最大幅部より注出端のある前方寄りに設けることにより、詰替パウチのノズルを挿入する方向から見てスリットが開く方向になるので、挿入時にノズルが注出筒側壁に当たっても、スリット内へ誘導され、狙いやすく挿入しやすくなる。
【００２２】
図６は注出筒３をトラック形状の断面を持つ筒体で構成した実施例のトランジッションキャップ１ｅであり、トラック形状の側壁平行部３７に幅広スリット２１を設け、後端に幅狭スリット２２を設け、かつ両者の間を案内域３０で接続し、かつ案内域３０としてスリットの側面視で曲線をなす曲面３１と長手軸１４に対してほぼ直角をなす平坦面３２で構成している。曲面３１は注出筒３の側壁平行部３７にある。なおこの実施形態では最大幅部が前後に分布を持つので、長手軸１４は注出筒３の前後長さの中間位置に設定する。このトランジッションキャップ１ｅでは注出筒の側壁に平行な区間を設けて最大幅部が前後の中間位置よりも後方まで分布するようにし、幅広スリットが最大幅部の範囲にあっても注出筒が充分な深さ（前後の長さ）をもつように構成している。この構成により注出の際にこぼれにくくなる。
【００２３】
図７は最大幅部３５の位置が中央より後方に偏寄っている前後非対称の楕円形類似の断面形状をもつ注出筒３を用いた実施例であり、最大幅部３５よりも前方に幅広スリット２１を設け、後端に幅狭スリット２２を設け、かつ両者の間を案内域３０で接続し、かつ案内域３０として、スリットの側面視で曲線をなす曲面３１と長手軸１４に対してほぼ直角をなす平坦面３２で構成している、曲面３１が注出筒３の最大幅部３５よりも先方（注出端１７寄り）にある。このトランジッションキャップ１ｆでは、最大幅部３５を後方へ偏寄らせることで、幅広スリット２１が最大幅部３５より前にあっても注出筒３が充分な深さを持つように構成している。この構成により注出の際にこぼれにくくなる。
以上の説明から明らかな通り、この発明によれば高粘度内容物の注出に適するとともに内容液の詰替の時に、詰替え用パウチのノズルを円滑に案内して位置決めし内容液をうまく注出筒案内に入れることができるスリットを持つ注出筒を備えたトランジッションキャップを得ることができる。
【図面の簡単な説明】
【００２４】
【図１】この発明のトランジッションキャップの断面図
【図２】この発明のトランジッションキャップの斜視説明図
【図３】この発明の他のトランジッションキャップの断面図
【図４】この発明の他のトランジッションキャップの断面図
【図５】この発明の他のトランジッションキャップの要部のみを示す説明図で（ａ）は平面説明図、（ｂ）は側面説明図
【図６】この発明の他のトランジッションキャップの要部のみを示す説明図で（ａ）は平面説明図、（ｂ）は側面説明図
【図７】この発明の他のトランジッションキャップの要部のみを示す説明図で（ａ）は平面説明図、（ｂ）は側面説明図
【符号の説明】
【００２５】
１    トランジッションキャップ
２    外壁
３    注出筒
４    底壁
５    取付脚
６    内ねじ
７    堤筒部
８    液回収筒部
９    中心線
１１  外ねじ
１２  環状空間
１３  液回収孔
１４  長手軸
１５  前後軸
１６  横軸
１７  注出端
１８  基端
１９  スリット
２１  幅広スリット
２２  幅狭スリット
２３  変化点
２５  直線部分
３０  案内域
３１  曲面
３２  平坦面
３５  最大幅部
３７  側壁平行部
【図１】
2008260550.tif 000003
【図２】
2008260550.tif 000004
【図３】
2008260550.tif 000005
【図４】
2008260550.tif 000006
【図５】
2008260550.tif 000007
【図６】
2008260550.tif 000008
【図７】
2008260550.tif 000009